(57)【要約】【課題】電気掃除機の表面の凹凸の露出量を従来に比べてより少なくすることができる電気掃除機システムを提供する。【解決手段】電気掃除機システムは、二次電池が内蔵された縦型の第１電気掃除機１００と、第１電気掃除機１００を支持可能に構成され、二次電池を充電する充電台４００と、を備える。第１電気掃除機１００は、被清掃面上の塵埃を除去する第１ヘッド部１０３と、掃除具が取り付けられる第１掃除機本体部１０１および第１延長管１０２と、を有する。充電台４００は、床面に設置される台座部４０１と、台座部４０１が床面に設置された状態において充電台４００の側面を構成するカバー部４０９と、を有する。平面視において、充電台４００に支持された状態の第１電気掃除機１００の第１掃除機本体部１０１および第１延長管１０２の外面は、カバー部４０９の外面と同じまたは当該外面の内側に位置する。【選択図】図１
2020182690.tif 000002
【特許請求の範囲】
【請求項１】
二次電池が内蔵された縦型の電気掃除機と、
前記電気掃除機を支持可能に構成され、前記二次電池を充電する充電台と、
を備え、
前記電気掃除機は、
被清掃面上の塵埃を除去する掃除具と、前記掃除具が取り付けられる本体と、を有し、
前記充電台は、床面に設置される台座部と、前記台座部が床面に設置された状態において前記充電台の側面を構成するカバー部と、を有し、
平面視において、前記充電台に支持された状態の前記電気掃除機の前記本体の外面は、前記カバー部の外面と同じまたは当該外面の内側に位置する電気掃除機システム。
【請求項２】
平面視において、前記充電台に支持された状態の前記電気掃除機の前記掃除具の外面は、前記カバー部の外面と同じまたは当該外面の内側に位置する請求項１に記載の電気掃除機システム。
【請求項３】
前記本体は、塵埃を捕集する集塵部を有し、
前記充電台に支持された状態の前記電気掃除機の前記集塵部は、前記カバー部に囲われている請求項１に記載の電気掃除機システム。
【請求項４】
前記充電台に支持された状態の前記電気掃除機は、上方および側方外方を前記カバー部に囲われている請求項１に記載の電気掃除機システム。
【請求項５】
前記本体は、使用者によって把持される把持部を有し、
前記充電台に支持された状態の前記電気掃除機の前記把持部は、前記カバー部の外方に突出している請求項１に記載の電気掃除機システム。
【請求項６】
前記本体は、使用者によって把持される把持部を有し、
前記充電台に支持された状態の前記電気掃除機の前記把持部は、前記カバー部の内側に収容され、
前記充電台は、前記カバー部の内側に収容された前記把持部を前記カバー部の外方に突出させる突出手段を備える請求項１に記載の電気掃除機システム。
【請求項７】
平面視において、前記充電台に支持された状態の前記電気掃除機の前記掃除具の長手方向寸法は、前記カバー部の当該長手方向寸法以下である請求項１から請求項６の何れか１項に記載の電気掃除機システム。
【請求項８】
前記充電台は、
空気を吸いこむための吸気口と、
前記吸気口から吸い込まれた空気中の塵埃を捕集するフィルターと、
前記フィルターを通過した空気を吹き出すための吹出口と、
前記吸気口から前記吹出口へ向かう気流を発生させるファンと、
を備え、
前記ファンは、前記カバー部の内側に収納されている請求項１から請求項７の何れか１項に記載の電気掃除機システム。
【発明の詳細な説明】
【技術分野】
【０００１】
本発明は、電気掃除機システムに関するものである。
【背景技術】
【０００２】
特許文献１に、充電式掃除機が記載されている。この充電式掃除機は、充電台によって支持される縦型の電気掃除機である。
【先行技術文献】
【特許文献】
【０００３】
【特許文献１】特開２００４−１２１４６９号公報
【発明の概要】
【発明が解決しようとする課題】
【０００４】
特許文献１に記載の充電式掃除機は、充電台に設置された状態において、大部分が露出している。すなわち、充電式掃除機の表面の凹凸が外部に露出している。特許文献１においては、例えば、充電式掃除機の表面の凹凸に使用者が意図せずに接触してしまう等の問題があった。
【０００５】
本発明は、上記のような課題を解決するためになされたものである。本発明の目的は、電気掃除機の表面の凹凸の露出量を従来に比べてより少なくすることができる電気掃除機システムを提供することである。
【課題を解決するための手段】
【０００６】
本発明に係る電気掃除機システムは、二次電池が内蔵された縦型の電気掃除機と、電気掃除機を支持可能に構成され、二次電池を充電する充電台と、を備える。電気掃除機は、被清掃面上の塵埃を除去する掃除具と、掃除具が取り付けられる本体と、を有する。充電台は、床面に設置される台座部と、台座部が床面に設置された状態において充電台の側面を構成するカバー部と、を有する。平面視において、充電台に支持された状態の電気掃除機の本体の外面は、カバー部の外面と同じまたは当該外面の内側に位置する。
【発明の効果】
【０００７】
本発明によれば、電気掃除機の表面の凹凸の露出量を従来に比べてより少なくすることができる電気掃除機システムを提供することができる。
【図面の簡単な説明】
【０００８】
【図１】実施の形態１の電気掃除機システムの斜視図である。
【図２】実施の形態１の電気掃除機システムの斜視図である。
【図３】実施の形態１の電気掃除機システムの正面図である。
【図４】実施の形態１の電気掃除機システムの断面透視図である。
【図５】実施の形態１の電気掃除機システムの断面透視図である。
【図６】実施の形態１の第１電気掃除機の斜視図である。
【図７】実施の形態１の電気掃除機システムの内部構造を示す断面透視図である。
【図８】実施の形態１の電気掃除機システムの変形例を示す正面図である。
【図９】実施の形態１の電気掃除機システムの変形例を示す正面図である。
【図１０】実施の形態１の電気掃除機システムの変形例を示す平面図である。
【発明を実施するための形態】
【０００９】
以下、図面を参照して、実施の形態について説明する。各図における同一の符号は、同一の部分または相当する部分を示す。また、本開示では、重複する説明については適宜に簡略化または省略する。なお、本発明は、以下の各実施の形態によって開示される構成のあらゆる組み合わせを含み得るものである。
【００１０】
実施の形態１．
図１および図２は、実施の形態１の電気掃除機システムの斜視図である。図３は、実施の形態１の電気掃除機システムの正面図である。図４および図５は、実施の形態１の電気掃除機システムの断面透視図である。図４は、図３におけるＡ−Ａ位置での断面の状態を示す透視図である。図５は、図３におけるＢ−Ｂ位置での断面の状態を示す透視図である。図４および図５の透視図は、電気掃除機システムの各構成要素の平面視における位置関係を示している。
【００１１】
図１および図２に示されるように、本実施の形態の電気掃除機システムは、第１電気掃除機１００と、第２電気掃除機２００と、充電台４００と、を備えている。充電台４００は、第１電気掃除機１００および第２電気掃除機２００を支持可能に構成されている。図１は、第１電気掃除機１００および第２電気掃除機２００が充電台４００に取り付けられている状態の電気掃除機システムの斜視図である。図２は、第１電気掃除機１００および第２電気掃除機２００が充電台４００から取り外された状態の電気掃除機システムの斜視図である。
【００１２】
第１電気掃除機１００は、コードレスタイプの縦型の電気掃除機である。第２電気掃除機２００は、コードレスタイプの縦型の電気掃除機である。縦型の電気掃除機とは、スティック型の電気掃除機とも呼ばれるものである。コードレスタイプの第１電気掃除機１００の内部には、図示しない二次電池が内蔵されている。同様に、コードレスタイプの第２電気掃除機２００の内部には、図示しない二次電池が内蔵されている。
【００１３】
充電台４００は、自立可能である。充電台４００は、例えば、室内等の床面に設置されて使用される。自立可能な充電台４００は、第１電気掃除機１００および第２電気掃除機２００を同時に支持可能に構成されている。第１電気掃除機１００および第２電気掃除機２００は、例えば、直立した状態で充電台４００に支持される。
【００１４】
第１電気掃除機１００および第２電気掃除機２００は、充電台４００に対して着脱自在である。一例として、第１電気掃除機１００の仕様は、第２電気掃除機２００の仕様とは異なる。なお、第１電気掃除機１００の仕様は、第２電気掃除機２００の仕様と同じであってもよい。
【００１５】
図１および図３に示される状態において、第１電気掃除機１００および第２電気掃除機２００は、共に充電台４００に取り付けられている。本開示では、原則として、図１および図３に示される状態を基準として、上下左右の各方向が定義される。換言すると、本開示では、原則として、第１電気掃除機１００および第２電気掃除機２００が水平面に設置された充電台４００に支持されている状態を基準として、上下左右の各方向が定義される。
【００１６】
図２は、充電台４００から取り外された第１電気掃除機１００の外観と、充電台４００から取り外された第２電気掃除機２００の外観と、第１電気掃除機１００および第２電気掃除機２００が取り外された状態の充電台４００の外観と、を示している。また、図６は、実施の形態１の第１電気掃除機１００の斜視図である。図６は、充電台４００から取り外された第１電気掃除機１００の外観を示している。
【００１７】
充電台４００は、第１電気掃除機１００および第２電気掃除機２００を充電する機能を有する。充電台４００は、図示しない電源ケーブルによって、外部電源に接続可能である。第１電気掃除機１００および第２電気掃除機２００は、外部電源に接続された充電台４００に取り付けられることで充電される。
【００１８】
図２および図６等に示されるように、第１電気掃除機１００は、主な構成要素として、第１掃除機本体部１０１、第１延長管１０２および第１ヘッド部１０３を備えている。
【００１９】
第１延長管１０２は、直線状に伸びる筒状の部材である。第１延長管１０２の一方の端部は、第１ヘッド部１０３に接続可能である。第１ヘッド部１０３は、第１延長管１０２に対して着脱自在である。また、第１延長管１０２の他方の端部は、第１掃除機本体部１０１に接続可能である。第１延長管１０２は、第１掃除機本体部１０１に対して着脱自在である。
【００２０】
第１ヘッド部１０３は、床面等の被清掃面上の塵埃を除去するためのものである。本開示では、ごみ、塵、埃、毛髪、繊維等のように、第１電気掃除機１００および第２電気掃除機２００の清掃対象となるものを総称して、「塵埃」と称する。また、本開示における被清掃面には、床面だけでなく、テーブルおよび布団等の物の上面等も含まれる。
【００２１】
第１ヘッド部１０３は、掃除具とも呼ばれる部品である。第１ヘッド部１０３は、第１延長管１０２を介して、第１掃除機本体部１０１に対して着脱自在に接続される。本実施の形態における第１掃除機本体部１０１および第１延長管１０２は、本開示に係る電気掃除機の本体の一例である。第１ヘッド部１０３は、本開示に係る電気掃除機の本体に取り付けられる掃除具の一例である。本開示において、電気掃除機の本体とは、当該電気掃除機のうちの掃除具よりも上方にある部分を意味している。
【００２２】
例えば、第１ヘッド部１０３は、第１延長管１０２を介さずに、第１掃除機本体部１０１に着脱自在に接続されてもよい。第１掃除機本体部１０１と第１延長管１０２とは、一体であってもよい。すなわち、本開示に係る電気掃除機の本体は、第１延長管１０２のような着脱自在な筒状の部材を有していなくてもよい。
【００２３】
第１延長管１０２および第１ヘッド部１０３の内部には、外部から第１掃除機本体部１０１に塵埃を含む空気を流入させるための風路が形成される。なお、本開示では、塵埃を含む空気を、「含塵空気」と呼ぶ場合がある。また、本開示では、塵埃が取り除かれて清浄な状態になった空気を、「清浄空気」と呼ぶ場合がある。
【００２４】
第１掃除機本体部１０１は、含塵空気から塵埃を分離する機能を有する。また、第１掃除機本体部１０１は、分離した塵埃を捕集する機能を有する。第１掃除機本体部１０１は、一例として、第１把持部１０４、第１吸込管１０５、第１本体部１０６および第１集塵部１０７を備える。
【００２５】
第１把持部１０４は、第１電気掃除機１００の使用中に使用者が手で握る部材である。第１吸込管１０５は、直線状に伸びる筒状の部材である。第１吸込管１０５の内部には、第１ヘッド部１０３および第１延長管１０２を通過した含塵空気が流れる流路が形成されている。
【００２６】
第１本体部１０６には、第１電動送風機１０８が内蔵されている。第１電動送風機１０８は、第１電気掃除機１００が塵埃を吸引するための気流を発生させる機器である。第１把持部１０４は、第１電動送風機１０８が内蔵された第１本体部１０６に対して機械的に接続されている。例えば、第１把持部１０４は、第１本体部１０６の長手方向に沿う形状に形成される。第１把持部１０４は、例えば、第１本体部１０６の前側に設けられている
【００２７】
第１集塵部１０７は、含塵空気から塵埃を分離して、当該塵埃を捕集する集塵装置である。第１集塵部１０７は、第１本体部１０６に着脱可能である。一例として、第１集塵部１０７は、透明な部材によって構成される。一例として、第１集塵部１０７は、当該第１集塵部１０７の内部を外部から視認可能に形成される。これにより、使用者は、第１集塵部１０７内に捕集部された塵埃の量を確認することができる。
【００２８】
第１吸込管１０５は、外観上、第１把持部１０４に連続するように形成される。一例として、第１吸込管１０５の下端は、第１本体部１０６の下端よりも下方に位置している。  上記したように、第１延長管１０２の一方の端部は、第１ヘッド部１０３に接続可能である。第１延長管１０２の他方の端部は、上記の第１吸込管１０５の下端に接続可能である。第１延長管１０２は、第１吸込管１０５に対して着脱自在である。
【００２９】
第１本体部１０６および第１集塵部１０７の内部には、第１吸込管１０５の内部の風路と通じる風路が形成されている。第１電動送風機１０８は、第１本体部１０６の内部の風路上に設置されている。
【００３０】
一例として、第１集塵部１０７は、第１電動送風機１０８が発生させた気流によって吸引された含塵空気を旋回させて遠心力によって塵埃を分離するサイクロン分離機能を有する。なお、第１集塵部１０７は、サイクロン式の集塵装置に限られるものではない。第１集塵部１０７は、例えば、紙パック式の集塵装置であってもよい。
【００３１】
図２に示すように、第１把持部１０４には、第１操作表示部１０９が設けられている。第１操作表示部１０９は、使用者が、第１電気掃除機１００を操作するためのものである。第１操作表示部１０９には、例えば、第１電気掃除機１００の運転を制御するための複数のボタンが含まれる。第１電動送風機１０８は、使用者からの第１操作表示部１０９に対する操作に応じて、予め設定された動作を行う。また、第１操作表示部１０９は、第１電気掃除機１００の状態を使用者に対して表示するものでもある。第１操作表示部１０９には、例えば、ランプおよび液晶画面等が含まれる。
【００３２】
第１本体部１０６には、図示しない二次電池が内蔵されている。この二次電池は、第１電動送風機１０８が駆動するための電力源である。第１本体部１０６に内蔵された二次電池は、第１電気掃除機１００が充電台４００に取り付けられることで、充電される。
【００３３】
第２電気掃除機２００の全体構成は、基本的には、第１電気掃除機１００の全体構成と同様である。第２電気掃除機２００の構成の詳細な説明は省略する。図２に示されるように、第２電気掃除機２００は、主な構成要素として、第２掃除機本体部２０１および第２ヘッド部２０３等を備えている。また、第２電気掃除機２００は、第２電気掃除機２００の使用中に使用者が手で握る部材である第２把持部２０４を備える。
【００３４】
第２掃除機本体部２０１は、本開示に係る電気掃除機の本体の一例である。第２掃除機本体部２０１には、図示しない二次電池および第２電動送風機２０８が内蔵される。第２掃除機本体部２０１は、第１掃除機本体部１０１と同様、含塵空気から塵埃を分離して当該塵埃を捕集する機能を有する。第２掃除機本体部２０１の仕様は、第１掃除機本体部１０１の仕様と同じでもよいし、異なっていてもよい。また、第２ヘッド部２０３は、第１ヘッド部１０３と同様、本開示に係る電気掃除機の本体に取り付けられる掃除具の一例である。
【００３５】
第１ヘッド部１０３は、例えば、被清掃面から塵埃を掻き上げる回転ブラシを備える。第２ヘッド部２０３は、第１ヘッド部１０３と同様に回転ブラシを備えていてもよい。第２ヘッド部２０３の仕様は、第１ヘッド部１０３の仕様と同じでもよし、異なっていてもよい。
【００３６】
上記のように構成された第１電気掃除機１００の使用時の動作と第２電気掃除機２００の使用時の動作とについて説明する。第１電気掃除機１００および第２電気掃除機２００は、使用時に充電台４００から取り外される。第１電気掃除機１００の使用者は、例えば、第１ヘッド部１０３を被清掃面に密着させた状態で、当該第１電気掃除機１００を前後に動かす。第２電気掃除機２００の使用者は、例えば、第２ヘッド部２０３を被清掃面に密着させた状態で、当該第２電気掃除機２００を前後に動かす。
【００３７】
第１電気掃除機１００の使用者は、第１操作表示部１０９を操作して、第１電動送風機１０８を駆動させる。第１電動送風機１０８が駆動することにより、塵埃を吸い込むための気流が発生する。これにより、含塵空気が、第１ヘッド部１０３の第１ヘッド部吸込口１１１から吸い込まれる。第１ヘッド部吸込口１１１から吸い込まれた含塵空気は、第１集塵部１０７へ送られる。第１集塵部１０７へ送られた含塵空気は、塵埃と空気とに分離される。当該塵埃は、第１集塵部１０７に捕集される。第１集塵部１０７によって塵埃と分離された空気、すなわち清浄空気は、第１電気掃除機１００の外部へ排出される。同様に、第２電気掃除機２００の使用者は、第２電動送風機２０８を駆動させる。これにより、第２電気掃除機２００は、含塵空気を吸引して清浄空気を排出する。
【００３８】
使用者は、第１電気掃除機１００の使用後に、当該第１電気掃除機１００を充電台４００に取り付ける。第１電気掃除機１００は、不使用時に充電台４００に取り付けられて充電される。同様に、第２電気掃除機２００は、不使用時に充電台４００に取り付けられて充電される。
【００３９】
本実施の形態の充電台４００は、上記したように構成された第１電気掃除機１００および第２電気掃除機２００を同時に支持可能である。充電台４００は、各図に示されるように、台座部４０１およびタワー部４０２を備えている。
【００４０】
台座部４０１は、床面に設置される部材である。台座部４０１の底面は、床面に対向する。台座部４０１は、充電台４００の土台を形成する。台座部４０１は、充電台４００の中で最も下方に位置する部分である。一例として、台座部４０１は、平面視における外形が矩形状になるように形成されている。
【００４１】
タワー部４０２は、柱状の部材である。タワー部４０２は、台座部４０１の上に設けられている。タワー部４０２の下端部は、台座部４０１に固定される。一例として、タワー部４０２は台座部４０１の上面から鉛直上向きに直立するように構成されている。また、一例として、タワー部４０２の高さ方向寸法は、台座部４０１の左右方向寸法および台座部４０１の前後方向寸法よりも長く設定されている。
【００４２】
タワー部４０２には、第１電気掃除機１００を支持可能に構成された第１支持部４０３が設けられている。また、タワー部４０２には、第２電気掃除機２００を支持可能に構成された第２支持部４０４が設けられている。第１支持部４０３と第２支持部４０４とは、同一のタワー部４０２に設けられている。本実施の形態において、第１支持部４０３と第２支持部４０４とは、平面視におけるタワー部４０２の中心に向かって窪んだ凹状に形成されている。
【００４３】
一例として、第１支持部４０３は、第１電気掃除機１００を嵌め込むことが可能な形状に形成されている。第１支持部４０３には、第１電気掃除機１００の外形に合わせた空間が形成されている。第１電気掃除機１００は、この空間に収納される。例えば、第１支持部４０３は、第１本体部１０６を掴むようにして、第１電気掃除機１００を支持する。
【００４４】
一例として、第２支持部４０４は、第２電気掃除機２００を嵌め込むことが可能な形状に形成されている。第２支持部４０４には、第２電気掃除機２００の外形に合わせた空間が形成されている。第２電気掃除機２００は、この空間に収納される。例えば、第２支持部４０４は、第２掃除機本体部２０１を掴むようにして、第２電気掃除機２００を支持する。
【００４５】
第１支持部４０３には、第１本体部１０６に設けられた端子と接続可能な端子が設けられている。第１本体部１０６が第１支持部４０３に取り付けられると、第１支持部４０３に設けられた端子と第１本体部１０６に設けられた端子とが電気的に接続する。これにより、第１電気掃除機１００は、充電台４００に電気的に接続し、充電される。
【００４６】
第２支持部４０４には、第２掃除機本体部２０１に設けられた端子と接続可能な端子が設けられている。第２掃除機本体部２０１が第２支持部４０４に取り付けられると、第２支持部４０４に設けられた端子と第２掃除機本体部２０１に設けられた端子とが電気的に接続する。これにより、第２電気掃除機２００は、充電台４００に電気的に接続し、充電される。
【００４７】
なお、第１電気掃除機１００と充電台４００とを電気的に接続させるための機構は、上記の各端子に限られない。第１電気掃除機１００と充電台４００とを電気的に接続させるための機構は、例えば、台座部４０１およびタワー部４０２等に設けられていてもよい。同様に、第２電気掃除機２００と充電台４００とを電気的に接続させるための機構は、例えば、台座部４０１およびタワー部４０２等に設けられていてもよい。
【００４８】
本実施の形態の充電台４００は、一例として、室内の空気を清浄する空気清浄機能を有する。空気清浄機能を有する充電台４００は、空気を吸いこむための吸気口４０５と、吸気口４０５から吸い込まれた空気中の塵埃を捕集するフィルター４０６と、フィルター４０６を通過した空気を吹き出すための吹出口４０７と、を備えている。
【００４９】
吸気口４０５は、例えば、タワー部４０２の正面部に形成される。なお、吸気口４０５は、タワー部４０２の背面部、天面部、右面部または左面部に形成されてもよい。吸気口４０５は、台座部４０１に形成されてもよい。フィルター４０６は、例えば、タワー部４０２に内蔵される。吹出口４０７は、例えば、タワー部４０２の天面部に形成される。なお、吹出口４０７は、タワー部４０２の側面部または台座部４０１に形成されてもよい。
【００５０】
また、図７は、実施の形態１の電気掃除機システムの内部構造を示す断面透視図である。充電台４００は、一例として、第１ファン４０８ａおよび第２ファン４０８ｂを備える。第１ファン４０８ａおよび第２ファン４０８ｂは、吸気口４０５から吹出口４０７へ向かう気流を発生させるファンである。なお、充電台４００に備えられるファンの数は１つでもよいし、３つ以上でもよい。
【００５１】
第１ファン４０８ａおよび第２ファン４０８ｂは、例えば、充電台４００に備えられたスイッチが使用者によって操作されることで、駆動する。第１ファン４０８ａおよび第２ファン４０８ｂが駆動すると、吸気口４０５から含塵空気が吸引され、当該含塵空気がフィルター４０６を通過する。フィルター４０６を通過した空気、すなわち、清浄空気は、吹出口４０７から吹き出される。
【００５２】
第１ファン４０８ａおよび第２ファン４０８ｂは、例えば、シロッコファン等の非円形のファンである。第１ファン４０８ａおよび第２ファン４０８ｂは、円形のファンでもよい。図７に示されるように、第１ファン４０８ａおよび第２ファン４０８ｂの回転軸の軸方向は、一例として、水平方向に沿っている。
【００５３】
第１ファン４０８ａおよび第２ファン４０８ｂは、タワー部４０２に内蔵される。第１ファン４０８ａおよび第２ファン４０８ｂは、充電台４００に取り付けられた第１電気掃除機１００および第２電気掃除機２００を避けるように配置される。
【００５４】
例えば、第１ファン４０８ａは、第２ファン４０８ｂよりも下方に配置される。第１ファン４０８ａと第２ファン４０８ｂとは、例えば、左右方向ずれた位置に配置される。例えば、第１ファン４０８ａは、第１本体部１０６よりも下方に配置される。本実施の形態において、第１ファン４０８ａと第１本体部１０６とは、平面視において重なりあっている。第１ファン４０８ａを上記のように配置することで、当該第１ファン４０８ａが内蔵される充電台４００の全体寸法を大きくすることを必要とせずに、当該第１ファン４０８ａを大型化することができる。
【００５５】
例えば、第２ファン４０８ｂは、第２掃除機本体部２０１よりも上方に配置される。本実施の形態において、第２ファン４０８ｂと第２掃除機本体部２０１とは、平面視において重なりあっている。第２ファン４０８ｂを上記のように配置することで、当該第２ファン４０８ｂが内蔵される充電台４００の全体寸法を大きくすることを必要とせずに、当該第２ファン４０８ｂを大型化することができる。
【００５６】
図１から図７に示される実施例において、第１電気掃除機１００と第２電気掃除機２００とは、タワー部４０２を取り囲むようにして、充電台４００に設置される。より具体的に述べると、第１電気掃除機１００は、一例として、充電台４００の左面側に取り付けられる。第２電気掃除機２００は、一例として、充電台４００の右面側に取り付けられる。第１電気掃除機１００と第２電気掃除機２００とは、左右に並ぶように充電台４００に取り付けられてもよい。例えば、第１電気掃除機１００と第２電気掃除機２００とは、共に充電台４００の正面部に取り付けられてもよい。
【００５７】
本実施の形態において、タワー部４０２の外殻は、カバー部４０９によって形成される。本実施の形態においては、カバー部４０９は、タワー部４０２の天面部および側面部を形成している。カバー部４０９は、台座部４０１が床面に設置された状態において充電台４００の側面を構成する部材である。また、本実施の形態において、カバー部４０９は、台座部４０１が床面に設置された状態において充電台４００の天面も構成している。上記した第１ファン４０８ａおよび第２ファン４０８ｂは、このカバー部４０９の内側に収納されている。なお、本開示において単に「側面」と述べた場合、当該側面には正面、右面、左面、背面等、水平方向に向く各面が含まれ得る。
【００５８】
本実施の形態の充電台４００は、第１電気掃除機１００および第２電気掃除機２００を内包するように構成されている。具体的には、カバー部４０９は、充電台４００に設置された第１電気掃除機１００および第２電気掃除機２００を覆うように構成されている。一例として、第１電気掃除機１００の全体および第２電気掃除機２００の全体は、カバー部４０９に内包される。
【００５９】
図４および図５に示されるように、平面視において、充電台４００に支持された状態の第１電気掃除機１００の本体の外面は、カバー部４０９の外面と同じまたは当該外面の内側に位置する。また、平面視において、充電台４００に支持された状態の第２電気掃除機２００の本体の外面は、カバー部４０９の外面と同じまたは当該外面の内側に位置する。
【００６０】
本実施の形態によれば、第１電気掃除機１００がカバー部４０９に内包されることで、第１電気掃除機１００の表面の凹凸の露出が抑えられる。これにより、例えば、使用者が第１電気掃除機１００の表面の凹凸に引っ掛かってしまう可能性が抑えられる。本実施の形態によれば、第１電気掃除機１００が意図せず充電台４００から外れてしまうことを抑制することができる。同様に、本実施の形態によれば、第２電気掃除機２００の表面の凹凸の露出が抑えられる。
【００６１】
また、本実施の形態によれば、充電台４００に取り付けられた第１電気掃除機１００が当該充電台４００から突出する量を少なくすることができる。本実施の形態によれば、電気掃除機システムを設置するために必要なスペースを小さくすることができる。
【００６２】
図１に示されるように、第１電気掃除機１００および第２電気掃除機２００は、充電台４００に一体化するように収納される。これにより、電気掃除機システムの外観が優れたものとなる。本実施の形態によれば、意匠性に優れた電気掃除機システムが得られる。
【００６３】
第１電気掃除機１００の表面の凹凸および第２電気掃除機２００の露出が抑えられることで、室内に浮遊する塵埃等が当該凹凸に付着しにくくなる。本実施の形態の電気掃除機システムによれば、第１電気掃除機１００および第２電気掃除機２００を清潔な状態で維持することができる。
【００６４】
第１電気掃除機１００のうち、特に、第１ヘッド部１０３および第１把持部１０４の表面には、室内に浮遊する塵埃等が付着しやすい凹凸が形成されている。本実施の形態において、第１電気掃除機１００は、カバー部４０９によって上方から覆われている。これにより、第１把持部１０４への塵埃の付着が抑制される。また、平面視において、第１ヘッド部１０３の外面は、カバー部４０９の外面と同じまたは当該外面の内側に位置している。これにより、第１ヘッド部１０３への塵埃の付着が抑制される。
【００６５】
また、本実施の形態において、第１集塵部１０７は、カバー部４０９によって側方を囲われている。換言すると、第１集塵部１０７を通る水平断面において、当該第１集塵部１０７は、カバー部４０９の内側に位置する。これにより、第１集塵部１０７への塵埃の付着が抑制される。また、第１電気掃除機１００が充電台４００に取り付けられている際に、第１集塵部１０７はカバー部４０９によって隠された状態になる。これにより、第１集塵部１０７内に捕集された塵埃が、充電台４００の周囲から見えにくくなる。本実施の形態によれば、電気掃除機システムは、例えば、ダイニング等にも気兼ねなく設置することができる。
【００６６】
なお、第１電気掃除機１００の全体がカバー部４０９に内包されていなくてもよい。例えば、第１電気掃除機１００のうち、第１延長管１０２のみがカバー部４０９に内包されていてもよいし、第１掃除機本体部１０１のみがカバー部４０９に内包されていてもよい。カバー部４０９は、第１電気掃除機１００のうち、第１ヘッド部１０３よりも上方にある部分の少なくとも一部を内包していればよい。同様に、カバー部４０９は、第２電気掃除機２００のうち、第１ヘッド部１０３よりも上方にある部分の少なくとも一部を内包していればよい。本開示に係る電気掃除機システムは、図５および図６に示される実施例のように、平面視において、充電台４００に支持された状態の電気掃除機の本体の外面がカバー部４０９の外面と同じまたは当該外面の内側に位置するように構成されていればよい。上記の構成によれば、電気掃除機の表面の凹凸の側方への露出量を従来よりも少なくすることができる。
【００６７】
図８および図９は、実施の形態１の電気掃除機システムの変形例を示す正面図である。また、図１０は、実施の形態１の電気掃除機システムの変形例を示す平面図である。図８および図１０は、第１電気掃除機１００および第２電気掃除機２００が充電台４００に取り付けられた状態を示している。図９は、第１電気掃除機１００および第２電気掃除機２００が充電台４００から取り外された状態を示している。
【００６８】
図８に示されるように、充電台４００に支持された状態の第１電気掃除機１００の第１把持部１０４は、カバー部４０９の外方に突出していてもよい。図８に示されるように、第１把持部１０４は、例えば、カバー部４０９の上方に突出していてもよい。第１把持部１０４は、カバー部４０９の上端よりも上方に突出していてもよい。
【００６９】
第１電気掃除機１００が充電台４００に収容された状態において第１把持部１０４が当該充電台４００の外部に飛び出ていることで、使用者は、当該第１電気掃除機１００を充電台４００からスムーズに取り外すことができる。なお、第１把持部１０４と同様に、第２把持部２０４もカバー部４０９の外方に突出していてもよい。
【００７０】
また、充電台４００は、例えば、カバー部４０９の内側に収容された状態の第１把持部１０４をカバー部４０９の外方に突出させる突出手段を備えていてもよい。この突出手段は、例えば、充電台４００に設けられた操作スイッチおよび当該操作スイッチへの操作に応じて動作する突出機構等によって構成される。突出機構は、例えば、第１電気掃除機１００を上方に動かすことで第１把持部１０４を上方に突出させる。また、突出機構は、例えば、第１電気掃除機１００を倒すことで、第１把持部１０４をカバー部４０９の側方外方へ突出させる。上記の突出手段によれば、第１電気掃除機１００の充電時には第１把持部１０４をカバー部４０９の内側に収納させつつ、使用時には第１把持部１０４をスムーズに使用者に把持させることができる。
【００７１】
なお、上記の突出手段は、第２把持部２０４を突出させてもよい。また、突出手段は、例えば、充電台４００に近づいた人を検知するセンサと当該センサの検知結果に応じて動作する突出機構等によって構成されてもよい。
【００７２】
上記したように、第１電気掃除機１００と第２電気掃除機２００とは、一例として、充電台４００の右側と左側とにそれぞれ取り付けられる。このとき、例えば、図１０に示されるように、第１ヘッド部１０３の長手方向および第２ヘッド部２０３の長手方向は、充電台４００の奥行方向と平行となっていてもよい。また、第１ヘッド部１０３の長手方向寸法および第２ヘッド部２０３の長手方向寸法は、例えば、カバー部４０９の当該長手方向寸法と同じであってもよい。また、カバー部４０９の当該長手方向寸法は、第１ヘッド部１０３の長手方向寸法および第２ヘッド部２０３の長手方向よりも長くてもよい。すなわち、平面視において、第１ヘッド部１０３の長手方向寸法および第２ヘッド部２０３の長手方向寸法は、カバー部４０９の当該長手方向寸法以下であってもよい。上記の構成によれば、第１ヘッド部１０３および第２ヘッド部２０３は、カバー部４０９の外方に飛び出さない。このため、電気掃除機システムの外観がより優れたものになる。
【００７３】
なお、第１電気掃除機１００と第２電気掃除機２００とは、例えば、充電台４００の正面側と背面側とにそれぞれ取り付けられてもよい。第１ヘッド部１０３の長手方向および第２ヘッド部２０３の長手方向は、充電台４００の幅方向と平行となっていてもよい。この場合においても、第１ヘッド部１０３の長手方向寸法および第２ヘッド部２０３の長手方向寸法は、カバー部４０９の当該長手方向寸法以下であるとよい。
【００７４】
上記の実施の形態に係る電気掃除機システムは、２つの電気掃除機を備えている。本開示に係る電気掃除機システムが備える電気掃除機は１つでもよい。充電台４００は、第１電気掃除機１００および第２電気掃除機２００の一方を支持するものであってもよい。また、充電台４００は、３台以上の電気掃除機を同時に支持可能に構成されていてもよい。本開示に係る電気掃除機システムは、３つ以上の電気掃除機を備えていてもよい。また、電気掃除機システムを構成する充電台４００は、空気清浄機能を備えていなくてもよい。
【符号の説明】
【００７５】
１００  第１電気掃除機、  １０１  第１掃除機本体部、  １０２  第１延長管、  １０３  第１ヘッド部、  １０４  第１把持部、  １０５  第１吸込管、  １０６  第１本体部、  １０７  第１集塵部、  １０８  第１電動送風機、  １０９  第１操作表示部、  ２００  第２電気掃除機、  ２０１  第２掃除機本体部、  ２０３  第２ヘッド部、  ２０４  第２把持部、  ２０８  第２電動送風機、  ４００  充電台、  ４０１  台座部、  ４０２  タワー部、  ４０３  第１支持部、  ４０４  第２支持部、  ４０５  吸気口、  ４０６  フィルター、  ４０７  吹出口、  ４０８ａ  第１ファン、  ４０８ｂ  第２ファン、  ４０９  カバー部
【図１】
2020182690.tif 000003
【図２】
2020182690.tif 000004
【図３】
2020182690.tif 000005
【図４】
2020182690.tif 000006
【図５】
2020182690.tif 000007
【図６】
2020182690.tif 000008
【図７】
2020182690.tif 000009
【図８】
2020182690.tif 000010
【図９】
2020182690.tif 000011
【図１０】
2020182690.tif 000012